(57)【要約】【課題】容器の内圧の上昇による破裂を発生し難くする。使用後に別々に廃棄し回収して処理する必要をなくする。【解決手段】ボトル本体１は、胴部２、肩部３と首部４を下から上に設け、首部４の上面に口部８を設け、首部４は、円筒形状であり、均等径部５とこれより大径の大径部６を上下に設け、均等径部５の内側に、平面形状が円形状の栓１１を下側に移動可能に嵌め込んで首部４を閉鎖し、均等径部５の外側に、周壁２２の上端に天板２３を設けた蓋２１を上下動可能に嵌合して口部８を閉鎖し、蓋２１の天板２３に突起２４を設け、均等径部５に被せた蓋２１を押し下げると、突起２３が均等径部５内の栓１１を押し下げて大径部６に移動させ、栓１１による首部４の閉鎖を解除する構成にした。【選択図】　図１
0003097232.tif 000002
【実用新案登録請求の範囲】
【請求項１】
ボトル本体は、胴部、肩部と首部を下から上に設け、首部の上面に口部を設け、
首部は、円筒形状であり、均等径部と大径部を上下に設け、大径部を均等径部より大径にし、均等径部の内側に、平面形状が円形状の栓を下側に移動可能に嵌め込んで、栓で首部を閉鎖し、均等径部の外側に、周壁の上端に天板を設けた蓋を上下動可能に嵌合して、蓋で口部を閉鎖し、蓋の天板に、均等径部内の栓に当る突起を設け、
均等径部に被せた蓋を押し下げると、蓋天板の突起が均等径部内の栓を押し下げて大径部に移動させ、栓による首部の閉鎖を解除する構成にしたことを特徴とするボトル容器。
【請求項２】
栓は、球形状であり、胴部に飲料又はその他の流体を入れ、
栓が大径部に移動した後、蓋を首部から取り外し、ボトル本体を傾けると、胴部の飲料又はその他の流体が口部から流出する構成にしたことを特徴とする請求項１に記載のボトル容器。
【請求項３】
ボトル本体、栓と蓋は、材質が同一であることを特徴とする請求項１又は２に記載のボトル容器。
【請求項４】
ボトル本体、栓と蓋は、材質がポリエチレンテレフタレートであることを特徴とする請求項１、２又は３に記載のボトル容器。
【考案の詳細な説明】
【０００１】
【考案の属する技術分野】
本考案は、飲料やその他の流体を入れるボトル容器に関する。
【０００２】
【従来の技術】
果実ジュース、乳酸菌飲料、お茶や水などの飲料を入れて販売するボトル容器は、ペットボトル容器が多い。ペットボトル容器は、ポリエチレンテレフタレート（ＰＥＴ）を吹込成形したボトル本体と、ポリエチレン（ＰＥ）やポリプロピレン（ＰＰ）を射出成形した蓋とからなる。ボトル本体は、有底の筒形状の胴部、肩部と首部を下から上に順次設けている。首部は、円筒形状であり、上面に口部を設け、外周面にネジを形成している。蓋は、円筒形状の周壁の上端に天板を設け、キャップ形状である。蓋の周壁は、内周面にネジを形成している。
【０００３】
ボトル本体には、その上端開口の口部から飲料を注入し、ボトル本体のネジ付き首部に蓋のネジ付き周壁を螺合し、首部上面の口部を蓋の天板で閉鎖し、飲料を密封する。飲料を封入したペットボトル容器は、ボトル本体の首部から蓋を取り外して開封する。飲料を飲む人は、ボトル本体を手で持ち、蓋のない首部を口でくわえ、ボトル本体を傾けて、口部から飲料を流出させ、ボトル本体の飲料を飲む。
【０００４】
飲料の飲み残しがあると、飲料が残っているボトル本体の首部に蓋を螺合して口部を蓋で閉鎖し、飲料の飲み残しを密封して保存する。
【０００５】
飲み干して空になると、ＰＥＴの成形品であるボトル本体とＰＥやＰＰの成形品である蓋は、分別して廃棄する。廃棄されたボトル本体は、回収し、処理し、ＰＥＴの原料として再利用する。廃棄された蓋は、回収し、合成樹脂の種類別に分別し、処理し、合成樹脂の原料として再利用する。
【０００６】
【考案が解決しようとする課題】
ところが、上記のようなペットボトル容器は、飲料の飲み残しを密封した状態で常温で保存すると、時々、飲料の糖分などが発酵し、容器の内部圧力、内圧が上昇してボトル本体が膨張し、内圧が限度を越すと、破裂する。蓋は、ボトル本体の首部に螺合した状態から外れ、ボトル本体と蓋及び飲み残しの飲料が勢いよく飛び散る。危険である。後始末の手間が掛る。
【０００７】
また、上記のようなペットボトル容器は、使用後に、ボトル本体と蓋を分別して廃棄する手間が掛る。その上、別々に、回収して処理する手間が掛る。
【０００８】
【課題を解決するための着眼】
ペットボトル容器が飲料の飲み残しの保存中に破裂する原因は、飲料の発酵の進行によって内圧が徐々に上昇していく際、内圧が上昇しても、ボトル本体に螺合された蓋が後退せず、蓋の後退による容積の増加即ち内圧の減少がないためである。内圧は、飲料の発酵が進行するに従って上昇し、蓋が外れる限度まで上昇する。そこで、飲料の飲み残しの保存中に内圧が上昇すると、ボトル本体の口部を閉鎖する蓋が後退してボトル容器の容積が増加して内圧が減少する構成を考案した。
【０００９】
ボトル本体と蓋を使用後に別々に廃棄し回収して処理する原因は、ボトル本体と蓋との材質、原料樹脂の種類が異なるためである。ＰＥＴは、飲料容器の原料として優れているが、ネジ付きの蓋の原料、ネジの原料としては、優れていないようである。ネジのない蓋には、問題なく、ＰＥＴを使用することができる。
【００１０】
【課題を解決するための手段】
１）ボトル本体は、胴部、肩部と首部を下から上に設け、首部の上面に口部を設け、
首部は、円筒形状であり、均等径部と大径部を上下に設け、大径部を均等径部より大径にし、均等径部の内側に、平面形状が円形状の栓を下側に移動可能に嵌め込んで、栓で首部を閉鎖し、均等径部の外側に、周壁の上端に天板を設けた蓋を上下動可能に嵌合して、蓋で口部を閉鎖し、蓋の天板に、均等径部内の栓に当る突起を設け、
均等径部に被せた蓋を押し下げると、蓋天板の突起が均等径部内の栓を押し下げて大径部に移動させ、栓による首部の閉鎖を解除する構成にしたことを特徴とするボトル容器。
【００１１】
２）上記のボトル容器において、
栓は、球形状であり、胴部に飲料又はその他の流体を入れ、
栓が大径部に移動した後、蓋を首部から取り外し、ボトル本体を傾けると、胴部の飲料又はその他の流体が口部から流出する構成にしたことを特徴とする。
【００１２】
３）上記のボトル容器において、
ボトル本体、栓と蓋は、材質が同一であることを特徴とする。
【００１３】
４）上記のボトル容器において、
ボトル本体、栓と蓋は、材質がポリエチレンテレフタレート（ＰＥＴ）であることを特徴とする。
【００１４】
【考案の効果】
本考案のボトル容器においては、飲料又はその他の流体を封入するときは、ボトル本体に口部から飲料又はその他の流体を注入し、首部の均等径部の内側に栓を嵌め込んで栓で首部を閉鎖し、均等径部の外側に蓋を嵌合して蓋で口部を閉鎖する。
【００１５】
飲料又はその他の流体を流出させるときは、首部の均等径部に被せた蓋を押し下げる。すると、蓋天板の突起が均等径部内の栓を押し下げ、栓が首部の大径部に移動し、栓による首部の閉鎖が解除される。次に、首部から蓋を取り外す。すると、蓋による口部の閉鎖が解除される。ボトル本体を傾けると、口部から飲料又はその他の流体が流出する。
【００１６】
ボトル本体に飲料又はその他の流体が残っていると、首部の均等径部に蓋を被せて蓋でボトル本体の口部を閉鎖し、飲料又はその他の流体の残りを保存する。
【００１７】
飲料又はその他の流体の残りが発酵して、又は、その他の原因で、容器の内部圧力、内圧が上昇すると、首部の均等径部に被せた蓋が後退し、容器の容積が増加して内圧が減少する。飲料又はその他の流体の残りを保存しているときに、内圧の上昇による破裂が発生し難い。
【００１８】
ボトル本体、栓と蓋を同一の材質にしたボトル容器は、使用後に一緒に廃棄し回収して処理することができる。別々に廃棄し回収して処理する必要がない。
【００１９】
【考案の実施の形態】
実施形態のボトル容器は、飲料容器であり、図１〜図３に示すように、ボトル本体１、栓１１と蓋２１とからなる。それらの部品１、１１、２１は、ＰＥＴの成形品である。
【００２０】
ボトル本体１は、薄肉構造で吹込成形品であり、有底の角筒形状の胴部２、錐筒形状の肩部３と円筒形状の首部４を下から上に順次設けている。
【００２１】
首部４は、均等径部５と大径部６を上下に設けている。下側の大径部６は、上側の均等径部５より大径にし、太鼓形状に膨らんでいる。均等径部５は、内径と外径がそれぞれ均等径であり、周壁の上端を内側に折り曲げたフランジ部７を設け、上面開口に口部８を設けている。首部４と肩部３との接続部は、均等径部５より小径にしている。なお、首部４、均等径部５は、ネジを形成していない。
【００２２】
栓１１は、中実構造で射出成形品であり、球形状である。その径は、均等径部５の内径よりわずかに大きい。球形状の栓１１は、均等径部５の内側に嵌め込んで、均等径部５、首部４を閉鎖している。弾性のある栓１１は、弾性のある均等径部５の周壁に挟まれ、その位置に停止している。均等径部５内の栓１１は、下向きの力を加えると、均等径部５の周壁と擦れつつ、下側に移動する。
【００２３】
蓋２１は、薄肉構造で射出成形品であり、円筒形状の周壁２２の上端に天板２３を設け、天板２３の中心部を下側に突出して先細形状の突起２４を設けている。なお、蓋２１は、ネジを形成していない。キャップ形状の蓋２１は、均等径部５の外側に嵌合し、口部８を覆って閉鎖している。蓋２１の突起２４は、口部８に位置する栓１１の上端に接触又は近接している。蓋２１の弾性のある周壁２２は、弾性のある均等径部５の周壁を挟み、その位置に停止している。均等径部５に被せた蓋２１は、下向き又は上向きの力を加えると、均等径部５の周壁と擦れつつ、下側又は上側に移動する。
【００２４】
このボトル容器においては、飲料を封入する前には、ボトル本体１は、栓１１と蓋２１が嵌合されていない上、図４に示すように、首部４の均等径部５の周壁上端が内側に折り曲げられておらず、フランジ部７がない。
【００２５】
飲料を封入するときは、ボトル本体１に均等径部５上端の口部８から飲料を注入する。胴部２と肩部３に所定量の飲料を充填した後、図５に示すように、均等径部５の内側に栓１１を嵌め込んで均等径部５、首部４を閉鎖する。均等径部５の途中に栓１１を配置した後、図６に示すように、均等径部５の周壁上端を加熱成形して内側に折り曲げ、栓１１の抜け止めとなるフランジ部７を形成する。その後、図１と図２に示すように、均等径部５の外側に蓋２１を嵌合して口部８を閉鎖する。
【００２６】
飲料を飲むとき、飲料を流出させるときは、首部４の均等径部５に被せた蓋２１を押し下げる。すると、図７に示すように、蓋２１の突起２４が口部８から均等径部５内に突入して均等径部５内の栓１１を押し下げる。栓１１は、突起２４に押されて大径部６の上端に移動し、均等径部５の周壁に挟まれなくなり、図８に示すように、大径部６に落下する。栓１１が大径部６に移動して大径部６内で自由に移動可能になる。栓１１による首部４の閉鎖が解除される。
【００２７】
その後、図９と図３に示すように、首部４の均等径部５から蓋２１を取り外す。すると、蓋２１による口部８の閉鎖が解除される。ボトル容器が開封される。その後、ボトル本体１を傾け、図１０に示すように、口部８を上向きから斜め向き又は横向きにすると、ボトル本体１内の飲料は、大径部６と栓１１との間の隙間を経て、口部８から流出する。首部４を口でくわえ、口部８から流出する飲料を飲む。
【００２８】
ボトル本体１に飲料が残っていると、図８に示すように、均等径部５に蓋２１を深く嵌合して口部８を閉鎖し、飲料の残りを密封して保存する。
【００２９】
密封保存中に飲料の残りが発酵して、又は、その他の原因で、ボトル容器の内部圧力、内圧が上昇すると、首部４の均等径部５に深く被せた蓋２１が内圧で後退し、ボトル容器の容積が増加して内圧が減少する。飲料の残りを密封保存しているときに、ボトル容器の内圧の上昇による破裂が発生し難い。
【００３０】
密封保存中の飲料の残りを飲むとき、飲料の残りを流出させるときは、首部４から蓋２１を取り外し、開封する。
【００３１】
ボトル容器が空になると、ボトル本体１、栓１１と蓋２１は、同一の材質であるので、分別廃棄の必要がなく、一緒に廃棄する。それらの廃棄物１、１１、２１は、分別回収処理の必要がなく、一緒に回収して処理する。
【００３２】
［変形例］
１）上記の実施形態においては、栓１１は、球形状であるが、円柱形状や円筒形状のような、平面形状が円形の形状にする。
【００３３】
２）上記の実施形態においては、均等径部５は、周壁の上端を内側に折り曲げてフランジ部７を形成したが、周壁の上端を折り曲げず、フランジ部７を形成しない。
【図面の簡単な説明】
【図１】本考案の実施形態におけるボトル容器の中間省略中央縦断正面図。
【図２】同ボトル容器の平面図。
【図３】同ボトル容器の蓋を取り外した状態の平面図。
【図４】同ボトル容器における飲料封入前の首部の中央縦断正面図。
【図５】同ボトル容器における栓を嵌め込んだ状態の首部の中央縦断正面図。
【図６】同ボトル容器におけるフランジ部を形成した状態の首部の中央縦断正面図。
【図７】同ボトル容器における蓋を押し下げた状態の首部の中央縦断正面図。
【図８】同ボトル容器における栓が大径部に落下した状態の首部の中央縦断正面図。
【図９】同ボトル容器における蓋を取り外した状態の首部の中央縦断正面図。
【図１０】同ボトル容器におけるボトル本体を傾けた状態の首部の中央縦断正面図。
【符号の説明】
１　ボトル本体
２　胴部
３　肩部
４　首部
５　均等径部
６　大径部
７　フランジ部
８　口部
１１　栓
２１　蓋
２２　周壁
２３　天板
２４　突起
【図１】
0003097232.tif 000003
【図２】
0003097232.tif 000004
【図３】
0003097232.tif 000005
【図４】
0003097232.tif 000006
【図５】
0003097232.tif 000007
【図６】
0003097232.tif 000008
【図７】
0003097232.tif 000009
【図８】
0003097232.tif 000010
【図９】
0003097232.tif 000011
【図１０】
0003097232.tif 000012